【事件の表示】
　特願２０１５−１９６４６６「ジェスチャー入力機能付きディスプレイ」拒絶査定不服審判事件〔平成２９年　４月　６日出願公開、特開２０１７−　６８７７５、請求項の数（２）〕について、次のとおり審決する。
【結　論】
　原査定を取り消す。
　本願の発明は、特許すべきものとする。
【理　由】
第１　手続の経緯
　本願は、平成２７年１０月２日の出願であって、平成３１年４月２６日付けで拒絶理由通知がされ、令和元年８月１６日に意見書及び手続補正書が提出され、令和元年８月２９日付けで拒絶理由通知（最後）がされ、令和元年１２月５日に意見書及び手続補正書が提出され、令和元年１２月１８日付けで拒絶査定がされ、これに対し、令和２年４月２１日に拒絶査定不服審判の請求がされると同時に手続補正がされたものである。
第２　原査定の概要
　原査定（令和元年１２月１８日付け拒絶査定）の概要は次のとおりである。
　本願請求項１−３に係る発明は、以下の引用文献１−３に基づいて、その発明の属する技術の分野における通常の知識を有する者（以下、「当業者」という。）が容易に発明できたものであるから、特許法第２９条第２項の規定により特許を受けることができない。
引用文献等一覧
１．国際公開第２０１４／１９４１５１号
２．特開平９−２３６４０６号公報
３．特開２０１５−１２７８８８号公報
第３　審判請求時の補正について
　審判請求時の補正は、特許法第１７条の２第３項から第６項までの要件に違反しているものとはいえない。
　審判請求時の補正によって請求項１に「前記複数の副薄膜光センサは、前記主薄膜光センサからのずれ量が同じであり、光検出方向が異なる」という事項を追加する補正は、特許請求の範囲の減縮を目的とするものであり、当該事項は、当初明細書の段落【００２９】、【００３２】、【００３３】及び図６に記載されているから、当該補正は新規事項を追加するものではない。
　そして、請求項１の記載における「ずれ量」は、明細書の段落【００２９】における「組合せＢ：θ＝０°の薄膜光センサ（主薄膜光センサ）と、そこからほぼ同じずれ量ｘの位置にあって異なるθを有する複数個の薄膜光センサ（副薄膜光センサ）とを組合せたもの。」という記載、及び図６で示されるとおり、副薄膜光センサと主薄膜光センサとの間のｘ方向に沿った位置のずれの量と解することができるから、「ずれ量」は、その意味において明確である。
　また、「第４　本願発明」から「第６　対比・判断」までに示すように、補正後の請求項１、２に係る発明は、独立特許要件を満たすものである。
第４　本願発明
　本願請求項１、２に係る発明（以下、それぞれ「本願発明１」、「本願発明２」という。）は、令和２年４月２１日になされた手続補正で補正された特許請求の範囲の請求項１、２に記載された事項により特定される発明であり、本願発明１、２は以下のとおりの発明である（下線部は補正箇所を示す。）。
「　　【請求項１】
　光電変換領域を備え、前記光電変換領域での受光量に応じて光検出を行うとともに、受光面である前記光電変換領域の上方に、前記光検出に指向性を持たせる構造体をさらに備えた薄膜光センサが、任意の端辺領域に列状配置を有するように複数配置されたディスプレイであって、製造段階において、前記受光面と対向する平面内で、前記光電変換領域に対する前記構造体の相対的な位置関係を所望の位置に変位させることで、前記指向性を持たせた前記光検出の主検出方向が所望の方向に設定された前記複数配置された薄膜光センサを有するディスプレイと、
　前記所望の方向に設定された各薄膜光センサのそれぞれの主検出方向によって前記ディスプレイの前方の空間内に規定された検出空間において、前記各薄膜光センサの組合せによる検出結果に基づいて前記検出空間内での検出対象の位置を特定することで、前記ディスプレイに非接触な状態でのジェスチャー入力を読み取る検出部と
　を備え、
　前記構造体は、光学的に凹レンズの特性を備え
、
　
前記薄膜光センサは、１つの主薄膜光センサと、前記主薄膜光センサの光検出方向と異なる方向に光検出方向を有する複数の副薄膜光センサとで構成される基本ユニットを長手方向に複数配置した構成として、前記列状配置が形成されており、
　
前記基本ユニット内において、前記複数の副薄膜光センサのそれぞれは、前記複数の副薄膜光センサの光検出方向が前記主薄膜光センサの光検出方向と交差するように配置されており、
　
前記複数の副薄膜光センサは、前記主薄膜光センサからのずれ量が同じであり、光検出方向が異な
　　【請求項２】
　前記検出部は、
　　それぞれの前記基本ユニット内の主薄膜光センサの出力値を解析し、反応のあった主薄膜光センサの特定を行う第１処理と、
　　前記第１処理の実行により、前記反応のあった主薄膜光センサが存在する基本ユニット内に存在する複数の副薄膜光センサに絞り込み、絞り込んだ前記複数の副薄膜光センサの出力値の解析を行う第２処理とによる多段階処理を実行する
　請求項
１
第５　引用文献、引用発明等
１　引用文献１について
　原査定の拒絶の理由に引用された引用文献１には、図面とともに次の事項が記載されている（訳文は、引用文献１の国内公表文献である特表２０１６−５２１８７４号公報を参照して当審が作成した。下線は当審において付与した。以下、同様。）。
ア　「[0067] According to embodiments of the present invention, a light-based touch sensor includes a plurality of infra-red or near infra-red light-emitting diodes (LEDs) and a plurality of photodiodes (PDs) arranged along one edge of a detection plane. In some embodiments, the detection plane is the surface or interface area of a touch screen, as defined above. The LEDs project collimated light along the detection plane, and when this light is reflected by an inserted object, such as a finger or a stylus, the reflected light is detected by the PDs. The geometry of the locations of the activated LED and the PD that detects the reflected light, suffices to determine two-dimensional coordinates of the pointer within the detections area by triangulation. The LEDs and PDs are selectively activated by a processor. Generally, each LED and PD has I/O connectors, and signals are transmitted to specify which LEDs and which PDs are activated.
[0068] Reference is made to FIG. 2, which is a simplified diagram of 
a proximity sensor for detecting two-dimensional coordinates of an object in a two-dimensional detection area
proximity sensor 512 featuring a row of alternating emitters and detectors along the bottom edge, an array of lenses 312 along the upper edge and processor 702 at the left edge.
[0069] 
Each emitter is situated on the optical axis of a respective collimating lens in array 312.
emitters 101 - 103
projecting respective light beams 403 - 405.
[0070] FIG. 2 also shows reflected light beams for each detector. Five of these are numbered 406 - 409 and 413. 
Each lens in array 312 transmits reflected light to the two detectors neighboring the lens's emitter.
the detectors are positioned along the lens's object plane to receive maximum intensity from beams that enter the lens at a particular angle.
This enables determining a location in the two-dimensional area corresponding to each emitter-detector pair.
these locations are the intersections between emitter beams and reflected beams.
[0071] According to an embodiment of the present invention, 
each emitter is synchronously co-activated with each of the detectors by processor 702.
If reflected light is detected during a co-activation, it indicates that an object is located in the vicinity of the corresponding intersection location between the activated emitter beam and the corresponding reflected beam for the co-activated detector
Processor 702 calculates the object's coordinates by determining an emitter-detector pair among the co-activated emitter- detector pairs, for which the detector detects a maximum amount of light, and identifying the position associated therewith.
For example, the maximum detection is identified for the emitter-detector pair 102 - 202, namely, when emitter beam 404 is reflected along beam 408.
The position corresponding to this detection is position 902 in the detection plane.
Processor 702 determines additional positions that are associated with co-activated emitter-detector pairs and that neighbor the identified position of the maximum detection, e.g., emitter-detector pair 102 - 203 whose corresponding position is 903 and emitter-detector pair 101 - 202 whose corresponding position is 905.
Processor 702 calculates a weighted average of the identified position of the maximum detection and the thus- determined additional positions, wherein each position's weight in the average corresponds to a degree of detection of the reflected light beam for the emitter-detector pair to which that position is associated.
[0072] Processor 702 is operable to synchronously co-activate one emitter with more than one detector simultaneously. In some embodiments, processor 702 calculates the object location using the Hough transform as described herein below.
[0073] 
Emitters such as LEDs and detectors such photo diodes (PDs) typically come mounted on individual substrates and encased in individual lens covers.
In order to reduce the cost of proximity sensor 512, in some embodiments the emitters and detectors are mounted as bare diodes on a PCB or other substrate in proximity sensor 512 without individual lenses and without individual substrates.
The lens array 312 serves as the only lens for these diodes.
[0074] For example, this component can be placed above or below a car window to enable the user to perform tap and gesture input on the car window. Processor 702 includes a communicators processor e.g., BLUETOOTH? for communicating wirelessly with the car stereo or with a user's phone. Similarly, this component can be placed above or below a window in a house or on the wall in a house to enable the user to perform tap and gesture input on the window or wall. A transparent sheet with digits and icons can be placed on or in the window glass or on the wall to indicate what input operations the user's touches at each location activate.
[0075] In the description, 
proximity sensor 512 is also referred to as touch sensor bar 501
[0076] Reference is made to FIG. 3, which is a simplified diagram of a touch screen system using proximity sensor 512, in accordance an embodiment of the present invention. FIG. 3 shows a touch sensor bar 501 detecting light reflected by a remote object 901. 
Touch sensor bar 501 includes five PDs, 201 - 205.
An LED is inserted between each pair of PDs.
[0077] 
Touch sensor bar 501 includes a light guide 301 in front of the LEDs and PDs, that performs two functions: first, it collimates light from the light emitting diodes
and projects it
second, it focuses reflected light 402 entering the light guide 301 at fixed angles, onto the photodiodes.
light guide 301 includes a connected series of collimating lenses, of which
Lens 302 is
collimating the emitter 101 beams, and lens 303 is
focusing reflected light 402 entering the light guide 301 at a particular fixed angle onto photodiode 205.
[0078] Reference is made to FIGS. 4 and 5, which are exploded views of a touch detection apparatus, in accordance with an embodiment of the present invention. FIG. 4 shows an exploded view of touch sensor bar 510, viewed from above. In between top and bottom casing parts 601 and 602, a PCB 603 and light guide 310 are shown. PCB 603 has a row of alternating LEDs 101 and PDs 201, whereby the outermost diodes at both ends of the row are PDs 201. Thus, there are 11 PDs interleaved with 10 LEDs on PCB 603. FIG. 3 also shows light guide 310 being formed of 10 collimating lenses 311 -- one lens directly opposite each LED. As mentioned above, each collimating lens 311 performs two functions: collimating outgoing beams and focusing incoming reflected beams onto a PD. The LED is situated at the focus of its opposite lens. The lateral offset of each PD from this focal point ensures that the lens will only direct incoming beams within a narrow range of angles onto the PD. Incoming beams whose angle of incidence on lens 311 is greater or less than the narrow range of angles are focused away from the target PD.」
「（当審訳）
[0067] 本発明の実施形態によれば、光ベースのタッチセンサは、複数の赤外線又は近赤外線の発光ダイオード（ＬＥＤ）と、検出平面の１辺に沿って配置された複数のホトダイオード（ＰＤ）とを備えている。ある実施形態では、検出平面は、上述したように、タッチスクリーンの表面又は界面エリアである。ＬＥＤは、検出平面に沿ってコリメートされた光を投射し、そしてその光が指又はスタイラスのような挿入物体により反射されたとき、その反射光がＰＤにより検出される。アクチベートされるＬＥＤと、反射光を検出するＰＤとの位置の幾何学形状は、検出エリア内のポインタの二次元座標を三角法で決定するのに充分である。ＬＥＤ及びＰＤは、プロセッサにより選択的にアクチベートされる。一般的に、各ＬＥＤ及びＰＤは、Ｉ／Ｏコネクタを有し、そしてどのＬＥＤ及びどのＰＤをアクチベートするか指定するために信号が送信される。
[0068] 本発明の実施形態により
二次元検出エリアにおいて物体の二次元座標を検出するための接近センサ
下縁に沿った交互の放射器及び検出器の行と、上縁に沿ったレンズ３１２のアレイと、左縁のプロセッサ７０２とを特徴とする接近センサ５１２
[0069] 
各放射器は、アレイ３１２における各コリメートレンズの光学軸に位置される。
放射器１０１−１０３が各光ビーム４０３−４０５を投射する
[0070] また、図２は、各検出器のための反射光ビームも示している。それらの５つが、４０６−４０９及び４１３と番号付けされている。
アレイ３１２の各レンズは、そのレンズの放射器に隣接する２つの検出器へ反射光を伝送する。
検出器は、特定の角度でレンズに入るビームから最大の強度を受けるようにレンズの対物平面に沿って位置される。これは、各放射器・検出器対に対応する二次元エリア内の位置を決定できるようにする。
それらの位置は、放射器ビームと反射ビームとの間の交点である。
[0071] 本発明の実施形態によれば、
各放射器は、プロセッサ７０２により各検出器と同期して共アクチベートされる。共アクチベート中に反射光が検出された場合には、
アクチベートされた放射器のビームと、共アクチベートされた検出器に対する対応反射ビームとの間の対応交点位置の付近に物体が位置することを示す。プロセッサ７０２は、共アクチベートされた放射器・検出器対の中で、検出器が最大量の光を検出する放射器・検出器対を決定し、そしてそれに関連した位置を識別することにより、物体の座標を計算する。例えば、最大の検出は、放射器・検出器対１０２−２０２に対して識別され、即ち放射器のビーム４０４がビーム４０８に沿って反射されたときに識別される。この検出に対応する位置は、検出平面内の位置９０２である。プロセッサ７０２は、共アクチベートされた放射器・検出器対に関連し且つ最大検出の識別位置に隣接する付加的な位置、例えば、対応位置が９０３である放射器・検出器対１０２−２０３、及び対応位置が９０５である放射器・検出器対１０１−２０２を決定する。
プロセッサ７０２は、最大検出の識別された位置、及びそのように決定された付加的な位置の重み付けされた平均値を計算し、その平均値における各位置の重みは、その位置に関連した放射器・検出器対に対する反射光ビームの検出の度合いに対応する。
[0072] プロセッサ７０２は、１つの放射器を２つ以上の検出器と同期して同時に共アクチベートするように動作する。ある実施形態では、プロセッサ７０２は、以下に述べるハフ変換を使用して物体の位置を計算する。
[0073] 
ＬＥＤのような放射器及びホトダイオード（ＰＤ）のような検出器は、典型的に、個々の基板上にマウントされ、そして個々のレンズカバーで包囲される。接近センサ５１２のコストを減少するために、ある実施形態では、放射器及び検出器は、個々のレンズをもたず且つ個々の基板をもたずに、接近センサ５１２のＰＣＢ又は他の基板上に裸のダイオードとしてマウントされる。レンズアレイ３１２は、これらダイオードのための唯一のレンズとして働く。この場合、接近センサ５１２は、大きなマルチダイオードコンポーネントと考えることができる。このコンポーネントは、事前に製造され、そしてＯＤＭ又はエンドユーザにより装置に挿入されて、タッチ検出を行うことができる。
[0074] 例えば、このコンポーネントは、ユーザが車窓においてタップ及びジェスチャー入力を行えるように車窓の上又は下に配置することができる。プロセッサ７０２は、カーステレオ又はユーザの電話とワイヤレス通信するためにコミュニケータプロセッサ、例えば、ＢＬＵＥＴＯＯＴＨ（登録商標）を備えている。同様に、このコンポーネントは、ユーザが家の窓又は家の壁においてタップ及びジェスチャー入力を行えるように家の窓の上又は下或いは家の壁に配置することができる。数字及びアイコンを伴う透明のシートを窓ガラス上又はその中或いは壁に配置して、各位置におけるユーザのタッチでどんな入力動作がアクチベートされたか指示することができる。
[0075] この説明において、
接近センサ５１２は、タッチセンサバー５０１
とも称される。
[0076] 本発明の実施形態により接近センサ５１２を使用するタッチスクリーンシステムの簡単な図である図３を参照する。図３は、遠隔物体９０１により反射された光をタッチセンサバー５０１が検出するところを示す。
タッチセンサバー５０１は、５つのＰＤ２０１−２０５を含む。ＰＤの各対間にＬＥＤが挿入される。
[0077] 
タッチセンサバー５０１は、ＬＥＤ及びＰＤの前に光ガイド３０１を備え、これは２つの機能を果たす。即ち、第１に、発光ダイオードからの光をコリメートし、
それを投射し；第２に、固定の角度で光ガイド３０１に入る反射光をホトダイオードに収束させる。
光ガイド３０１は、接続された一連のコリメートレンズを含み、そのうちの
レンズ３０２は、放射器１０１のビームをコリメートする
そしてレンズ３０３は、特定の固定角度で光ガイド３０１に入る反射光４０２をホトダイオード２０５に収束させる
[0078] 本発明の実施形態によるタッチ検出装置の分解図である図４及び５を参照する。図４は、上から見たタッチセンサバー５１０の分解図である。上部及び下部のケーシング部分６０１と６０２との間に、ＰＣＢ６０３及び光ガイド３１０が示されている。ＰＣＢ６０３は、交互のＬＥＤ１０１及びＰＤ２０１の行を有し、その行の両端の最も外側のダイオードは、ＰＤ２０１である。従って、１１個のＰＤがＰＣＢ６０３において１０個のＬＥＤとインターリーブされている。図３は、１０個のコリメートレンズ３１１で形成された光ガイド３１０も示しており、１つのレンズが各ＬＥＤに直接対向している。上述したように、各コリメートレンズ３１１は、２つの機能、即ち出て行くビームをコリメートすること、及び到来する反射ビームをＰＤに収束すること、を遂行する。ＬＥＤは、それに対向するレンズの焦点に位置される。この焦点から各ＰＤの横方向のずれは、レンズが到来ビームをＰＤへの狭い角度範囲内のみに向けるように保証する。レンズ３１１への入射角がその狭い角度範囲より大きいか又は小さい到来ビームは、ターゲットＰＤから離れて収束される。」
イ　「[00149] Reference is made to FIG. 39, which is a simplified illustration of a PC with proximity sensors for detecting wave gestures that approach a side edge of the display, in accordance with an embodiment of the present invention. FIG. 39 shows 
PC display 131 having optical proximity sensor 512 arranged along the outer left edge of the display housing for detecting this approach gesture in the airspace beyond the edges of the display.
「（当審訳）
[00149] 本発明の実施形態によりディスプレイの側縁に接近するウェーブジェスチャーを検出するための接近センサを伴うＰＣを簡単に示す図３９を参照する。図３９は、
ディスプレイの縁を越えてエアスペースにおいてこの接近ジェスチャーを検出するためにディスプレイのハウジングの左外縁に沿って配置された光学的接近センサ５１２を有するＰＣディスプレイ１３１
ウ　「FIG. 2
」
エ　「FIG. 3
」
　以上ア〜エより、特に下線部に着目すると、引用文献１には、次の発明（以下、「引用発明」という。）が記載されていると認められる。
「ディスプレイの縁を越えてエアスペースにおいてこの接近ジェスチャーを検出するためにディスプレイのハウジングの左外縁に沿って配置された光学的接近センサ５１２を有するＰＣディスプレイ１３１であって、
　二次元検出エリアにおいて物体の二次元座標を検出するための接近センサ５１２は、下縁に沿った交互の放射器及び検出器の行と、上縁に沿ったレンズ３１２のアレイと、左縁のプロセッサ７０２とを特徴とし、
　各放射器は、アレイ３１２における各コリメートレンズの光学軸に位置されており、
　放射器１０１−１０３が各光ビーム４０３−４０５を投射し、
　アレイ３１２の各レンズは、そのレンズの放射器に隣接する２つの検出器へ反射光を伝送し、
　検出器は、特定の角度でレンズに入るビームから最大の強度を受けるようにレンズの対物平面に沿って位置され、これは、各放射器・検出器対に対応する二次元エリア内の位置を決定できるようにし、それらの位置は、放射器ビームと反射ビームとの間の交点であり、
　各放射器は、プロセッサ７０２により各検出器と同期して共アクチベートされ、
　共アクチベート中に反射光が検出された場合には、アクチベートされた放射器のビームと、共アクチベートされた検出器に対する対応反射ビームとの間の対応交点位置の付近に物体が位置することを示し、
　プロセッサ７０２は、共アクチベートされた放射器・検出器対の中で、検出器が最大量の光を検出する放射器・検出器対を決定し、そしてそれに関連した位置を識別することにより、物体の座標を計算し、例えば、最大の検出は、放射器・検出器対１０２−２０２に対して識別され、即ち放射器のビーム４０４がビーム４０８に沿って反射されたときに識別され、この検出に対応する位置は、検出平面内の位置９０２であり、
　プロセッサ７０２は、共アクチベートされた放射器・検出器対に関連し且つ最大検出の識別位置に隣接する付加的な位置、例えば、対応位置が９０３である放射器・検出器対１０２−２０３、及び対応位置が９０５である放射器・検出器対１０１−２０２を決定し、
　プロセッサ７０２は、最大検出の識別された位置、及びそのように決定された付加的な位置の重み付けされた平均値を計算し、その平均値における各位置の重みは、その位置に関連した放射器・検出器対に対する反射光ビームの検出の度合いに対応し、
　ＬＥＤのような放射器及びホトダイオード（ＰＤ）のような検出器は、典型的に、個々の基板上にマウントされ、そして個々のレンズカバーで包囲され、接近センサ５１２のコストを減少するために、ある実施形態では、放射器及び検出器は、個々のレンズをもたず且つ個々の基板をもたずに、接近センサ５１２のＰＣＢ又は他の基板上に裸のダイオードとしてマウントされ、レンズアレイ３１２は、これらダイオードのための唯一のレンズとして働き、この場合、接近センサ５１２は、大きなマルチダイオードコンポーネントと考えることができ、このコンポーネントは、事前に製造され、そしてＯＤＭ又はエンドユーザにより装置に挿入されて、タッチ検出を行うことができ、
　接近センサ５１２は、タッチセンサバー５０１とも称され、
　タッチセンサバー５０１は、５つのＰＤ２０１−２０５を含み、ＰＤの各対間にＬＥＤが挿入され、
　タッチセンサバー５０１は、ＬＥＤ及びＰＤの前に光ガイド３０１を備え、これは２つの機能を果たし、即ち、第１に、発光ダイオードからの光をコリメートし、それを投射し；第２に、固定の角度で光ガイド３０１に入る反射光をホトダイオードに収束させ、
　光ガイド３０１は、接続された一連のコリメートレンズを含み、そのうちのレンズ３０２は、放射器１０１のビームをコリメートし、そしてレンズ３０３は、特定の固定角度で光ガイド３０１に入る反射光４０２をホトダイオード２０５に収束させる、
　ＰＣディスプレイ１３１。」
２　引用文献２について
　原査定の拒絶の理由に引用された引用文献２には、図面とともに次の事項が記載されている。
「【００３４】図３ないし図５に示す位置検出デバイスは、
光源１８からの光を遮光する遮光板１５〜１７により光源１８の位置に応じて光の一部が遮光される位置に、第１の光電変換素子１１〜１３が設置される３次元位置検出装置
【００３５】図３に示すように、説明を簡単にするため、
３個の第１の光電変換素子１１〜１３と１個の第２の光電変換素子１４が、同一のｙ−ｚ平面上に設置され、これらはｙ軸またはｚ軸方向に端を有する同一の矩形である
この平面からｘ方向に所定距離ｈだけ離間した平面上に、第１の光電変換素子１１〜１３のそれぞれに対応して遮光板１５〜１７が設置され、これらはｙ軸またはｚ軸方向に端を有する同一の矩形である
【００３６】
第１の光電変換素子１１および遮光板１５の組は、第１の光電変換素子１２および遮光板１６の組とｙ軸方向に対向し、これに直交して、ｚ軸方向に第２の光電変換素子１４と、第１の光電変換素子１３および遮光板１７の組とが対向して設置されている。
【００３７】図４（Ａ），図５（Ａ）に示すように、
光源１８からの無指向性の光は、遮光板１５〜１７を介して第１の光電変換素子１１〜１３で受光され、遮光板１５〜１７を介さずに第２の光電変換素子１４の全面で受光される。このとき、第１の光電変換素子１１〜１３においては、光の入射方向、言い換えれば、第１の光電変換素子１１〜１３の各位置から光源１８を見たときの立体角に依存して、遮光板１５〜１７の影になる遮光領域が変化することにより、受光領域の面積が変化する。
【００３８】
第１の光電変換素子１１〜１３は、この受光面積に応じた総光量を電流または電圧に変換して出力する。
各第１の光電変換素子１１〜１３から得られる電流値または電圧値を演算することによって、光源１８の１次元位置や２次元位置、または３次元位置を検出すること
「【００４２】しかし、第１の光電変換素子１１〜１３の受光面においては、受光領域においても、光源１８からの距離および光の入射する方向、光源１８の照射光の強度等に依存して単位面積当たりの光量が変化するため、この変化も第１の光電変換素子１１〜１３の出力に表われる。その結果、光の入射する方向と受光面積との関係に基づいて光源１８の位置を検出する際には、誤差が生じる。このため、
光源１８からの光を全面で受光する第２の光電変換素子１４
この出力を用いて、光源１８からの距離および光の入射する方向、光源１８の照射光の強度等に依存する単位面積当たりの光量の変化等を補償する
「【００５２】実際に、第１，第２の光電変換素子１１〜１４の出力Ｖ1 〜Ｖ4 を用いてｘ，ｙ，ｚ座標を求めるための演算回路を実現する場合には、演算上の誤差を小さくするために、
第１の光電変換素子１１〜１３の原点側の端部は、いずれもｘ−ｚ平面内の原点から一定の距離ａの位置に配置し、遮光板１５〜１７の原点側の端部
は、原点から平面内をｙ軸またはｚ軸方向に一定の距離Ａにある点から、さらにこの面に垂直なｘ軸方向にｈの位置に配置されるようにする。
「【００８３】図１２，図１３は、本発明の位置検出デバイスの測定値の補正に関する説明図である。図３に示した第１の光電変換素子１１と遮光板１５の組について説明するが、他の第１の光電変換素子１２，１３と遮光板１６，１７の組についても同様である。３１は透光層であり、図１，図２に示した第１の透光層５に対応する。図３ないし図５を参照して説明した本発明の実施の形態では、図１，図２を参照して説明したように、ポリイミド等の
透光層を通過した光が、第１の光電変換素子に入射
【００８４】
透光層３１の屈折率をｎ
「【図３】
」
　以上より、特に下線部に着目すると、引用文献２には、次の技術事項が記載されていると認められる。
「光源１８からの光を遮光する遮光板１５〜１７により光源１８の位置に応じて光の一部が遮光される位置に、第１の光電変換素子１１〜１３が設置される３次元位置検出装置であって、
　３個の第１の光電変換素子１１〜１３と１個の第２の光電変換素子１４が、同一のｙ−ｚ平面上に設置され、これらはｙ軸またはｚ軸方向に端を有する同一の矩形であり、この平面からｘ方向に所定距離ｈだけ離間した平面上に、第１の光電変換素子１１〜１３のそれぞれに対応して遮光板１５〜１７が設置され、これらはｙ軸またはｚ軸方向に端を有する同一の矩形であり、
　第１の光電変換素子１１および遮光板１５の組は、第１の光電変換素子１２および遮光板１６の組とｙ軸方向に対向し、これに直交して、ｚ軸方向に第２の光電変換素子１４と、第１の光電変換素子１３および遮光板１７の組とが対向して設置されており、
　光源１８からの無指向性の光は、遮光板１５〜１７を介して第１の光電変換素子１１〜１３で受光され、遮光板１５〜１７を介さずに第２の光電変換素子１４の全面で受光され、
　このとき、第１の光電変換素子１１〜１３においては、光の入射方向、言い換えれば、第１の光電変換素子１１〜１３の各位置から光源１８を見たときの立体角に依存して、遮光板１５〜１７の影になる遮光領域が変化することにより、受光領域の面積が変化し、
　第１の光電変換素子１１〜１３は、この受光面積に応じた総光量を電流または電圧に変換して出力し、各第１の光電変換素子１１〜１３から得られる電流値または電圧値を演算することによって、光源１８の１次元位置や２次元位置、または３次元位置を検出し、
　光源１８からの光を全面で受光する第２の光電変換素子１４の出力を用いて、光源１８からの距離および光の入射する方向、光源１８の照射光の強度等に依存する単位面積当たりの光量の変化等を補償し、
　第１の光電変換素子１１〜１３の原点側の端部は、いずれもｘ−ｚ平面内の原点から一定の距離ａの位置に配置し、遮光板１５〜１７の原点側の端部は、原点から平面内をｙ軸またはｚ軸方向に一定の距離Ａにある点から、さらにこの面に垂直なｘ軸方向にｈの位置に配置されるようにし、
　第１の光電変換素子には、屈折率がｎである透光層を通過した光が入射される、
　３次元位置検出装置。」
３　引用文献３について
　原査定の拒絶の理由に引用された引用文献３には、図面とともに次の事項が記載されている。
「【００１６】
　＜実施形態１＞
　図１は実施形態１の
光学式の座標入力装置
【００１７】
　図１において、
投光部及び受光部
を有するセンサユニット
センサユニットが座標入力有効領域３の周辺部に設けられている。
「【００３２】
　図３は実施形態１のセンサユニットの構成例を示す図である。
【００３３】
　図３（ａ）は受光部４０を正面方向（座標入力有効領域３の座標入力面に対して垂直方向）から見た図である。また、図３（ｂ）はその側面図である。尚、図３（ａ）中の破線部分は、図３（ｂ）に示されるセンサユニット１の投光部３０の配置を示すものである。実施形態１の場合、投光部３０と受光部４０を重ねて配置しており、その距離Ｌは、投光部３０から再帰反射部材４までの距離に比べて十分に小さな値となっている。従って、距離Ｌを有していても再帰反射部材４からの再帰反射光を受光部４０で検知することが可能な構成となっている。
【００３４】
　また、図３（ｂ）において、
受光部
は、受光素子であるところのラインＣＣＤ４１、及び集光光学系としての受光レンズ４２
を有する。
【００３５】
　図３（ａ）において、略９０°方向に投光された
投光部
の光は、再帰反射部材４によって再帰反射され、
受光レンズ４２によって、光の入射角に応じてラインＣＣＤ４１の画素上に結像する。
　以上より、特に下線部に着目すると、引用文献３には、次の技術事項が記載されていると認められる。
「光学式の座標入力装置において、投光部及び受光部を有するセンサユニットが座標入力有効領域３の周辺部に設けられており、
　センサユニットの受光部は、受光素子であるところのラインＣＣＤ４１、及び集光光学系としての受光レンズ４２を有し、
　投光部の光は、再帰反射部材４によって再帰反射され、受光レンズ４２によって、光の入射角に応じてラインＣＣＤ４１の画素上に結像すること。」
第６　対比・判断
１　本願発明１について
（１）対比
　本願発明１と引用発明とを対比すると、次のことがいえる。
ア　引用発明は、「接近センサ５１２は、タッチセンサバー５０１とも称され」、「タッチセンサバー５０１は、５つのＰＤ２０１−２０５を含み」、「タッチセンサバー５０１は、ＬＥＤ及びＰＤの前に光ガイド３０１を備え」、「光ガイド３０１は、接続された一連のコリメートレンズを含み」、「レンズ３０３は、特定の固定角度で光ガイド３０１に入る反射光４０２をホトダイオード２０５に収束させる」との構成を備えている。
　ここで、「ホトダイオード」が、光が照射される領域を備えており、光電変換により受光量に応じた光検出を行う素子であることは技術常識であるから、引用発明の「ホトダイオード２０５」は、「光電変換領域を備え、前記光電変換領域での受光量に応じて光検出を行う」ものであるといえる。
　また、引用発明の「光ガイド３０１」の「レンズ３０３」は、特定の固定角度でレンズに入る反射光をホトダイオード２０５に指向させることで、特定の固定角度からの反射光の検出を可能にするものであるから、本願発明１の「前記光検出に指向性を持たせる構造体」に相当する。
　そうすると、引用発明の「レンズ３０３」及び「ホトダイオード２０５」と、本願発明１の「光電変換領域を備え、前記光電変換領域での受光量に応じて光検出を行うとともに、
受光面である前記光電変換領域の上方に、
薄膜
イ　引用発明の「ディスプレイの縁を越えてエアスペースにおいてこの接近ジェスチャーを検出するためにディスプレイのハウジングの左外縁に沿って配置された光学的接近センサ５１２を有するＰＣディスプレイ１３１」は、「接近センサ５１２」によって検出される「接近ジェスチャー」が入力されるものであるから、本願発明１の「ジェスチャー入力機能付きディスプレイ」に相当し、「ディスプレイのハウジングの左外縁」は、本願発明１の「任意の端辺領域」に相当する。
　そして、引用発明の「接近センサ５１２」は「交互の放射器及び検出器の行」を有しているから、「接近センサ５１２」には、「検出器」が「列状配置」を有するように複数配置されているといえる。
　また、引用発明は、「接近センサ５１２は、大きなマルチダイオードコンポーネントと考えることができ、このコンポーネントは、事前に製造され」、「接近センサ５１２は、タッチセンサバー５０１とも称され」、「タッチセンサバー５０１は、５つのＰＤ２０１−２０５を含み」、「タッチセンサバー５０１は、ＬＥＤ及びＰＤの前に光ガイド３０１を備え」、「光ガイド３０１は、接続された一連のコリメートレンズを含み」、「レンズ３０３は、特定の固定角度で光ガイド３０１に入る反射光４０２をホトダイオード２０５に収束させる」との構成を備えているから、引用発明の「接近センサ５１２」が備える複数の「検出器」は、事前に製造される段階において、「光検出」の「主検出方向」が、「光ガイド３０１」により「特定の固定角度」、すなわち「所望の方向」に設定されているといえる。
　よって、引用発明の「ＰＣディスプレイ１３１」と、本願発明１の「光電変換領域を備え、前記光電変換領域での受光量に応じて光検出を行うとともに、受光面である前記光電変換領域の上方に、前記光検出に指向性を持たせる構造体をさらに備えた
薄膜
前記受光面と対向する平面内で、前記光電変換領域に対する前記構造体の相対的な位置関係を所望の位置に変位させることで、
薄膜
ウ　引用発明は、「ディスプレイの縁を越えてエアスペースにおいてこの接近ジェスチャーを検出するためにディスプレイのハウジングの左外縁に沿って配置された光学的接近センサ５１２を有するＰＣディスプレイ１３１」、「二次元検出エリアにおいて物体の二次元座標を検出するための接近センサ５１２」、「接近センサ５１２は、下縁に沿った交互の放射器及び検出器の行と、上縁に沿ったレンズ３１２のアレイと、左縁のプロセッサ７０２とを特徴とし」、「検出器は、特定の角度でレンズに入るビームから最大の強度を受けるようにレンズの対物平面に沿って位置され、これは、各放射器・検出器対に対応する二次元エリア内の位置を決定できるようにし、それらの位置は、放射器ビームと反射ビームとの間の交点であり」との構成を備えている。
　ここで、引用発明の「エアスペース」は、ディスプレイの縁を越えたところの空間であるから、本願発明１の「前記ディスプレイの
前方
　そして、引用発明の「二次元検出エリア」は、「特定の角度」を主検出方向とする複数の光センサのそれぞれが検出する反射ビームによって定められる交点を含み、「物体の二次元座標を検出」する対象となるエリアであるから、「前記所望の方向に設定された各光センサのそれぞれの主検出方向によって」「規定」された「検出空間」であるといえる。また、当該「二次元検出エリア」が「エアスペース」内にあることは明らかである。
　よって、引用発明の「二次元検出エリア」と、本願発明１の「前記所望の方向に設定された各
薄膜
前方
エ　引用発明は、「プロセッサ７０２は、共アクチベートされた放射器・検出器対の中で、検出器が最大量の光を検出する放射器・検出器対を決定し、そしてそれに関連した位置を識別することにより、物体の座標を計算し、例えば、最大の検出は、放射器・検出器対１０２−２０２に対して識別され、即ち放射器のビーム４０４がビーム４０８に沿って反射されたときに識別され、この検出に対応する位置は、検出平面内の位置９０２であり」との構成を備えているから、引用発明の「プロセッサ７０２」は、「検出器２０２」、すなわち、「光センサ」による検出結果に基づいて検出空間内での「物体」、すなわち「検出対象」の位置を特定しているといえる。
　そして、引用発明は、「放射器・検出器対１０２−２０２」に加えて、「共アクチベートされた放射器・検出器対に関連し且つ最大検出の識別位置に隣接する付加的な位置、例えば、対応位置が９０３である放射器・検出器対１０２−２０３」を「決定」し、「プロセッサ７０２は、最大検出の識別された位置、及びそのように決定された付加的な位置の重み付けされた平均値を計算し、その平均値における各位置の重みは、その位置に関連した放射器・検出器対に対する反射光ビームの検出の度合いに対応し」との構成を備えているから、「プロセッサ７０２」は、「検出器２０２」と「検出器２０３」の「組合せ」による検出結果に基づいて「位置」を特定しているといえる。
　また、引用発明の「光学的接近センサ５１２を有するＰＣディスプレイ１３１」は、「ディスプレイの縁を越えてエアスペースにおいてこの接近ジェスチャーを検出する」ものであるから、「光学的接近センサ５１２」が備える「プロセッサ７０２」は、「ディスプレイ」に非接触な状態での「接近ジェスチャー」の入力を検出して読み取るものであるといえる。
　よって、引用発明の「プロセッサ７０２」と、本願発明１の「前記各
薄膜
（２）一致点・相違点
　以上から、本願発明１と引用発明とは、以下の点において一致ないし相違する。
［一致点］
「光電変換領域を備え、前記光電変換領域での受光量に応じて光検出を行うとともに、前記光検出に指向性を持たせる構造体をさらに備えた光センサが、任意の端辺領域に列状配置を有するように複数配置されたディスプレイであって、製造段階において前記指向性を持たせた前記光検出の主検出方向が所望の方向に設定された前記複数配置された光センサを有するディスプレイと、
　前記所望の方向に設定された各光センサのそれぞれの主検出方向によって前記ディスプレイの付近の空間内に規定された検出空間において、前記各光センサの組合せによる検出結果に基づいて前記検出空間内での検出対象の位置を特定することで、前記ディスプレイに非接触な状態でのジェスチャー入力を読み取る検出部と
　を備える、
　ジェスチャー入力機能付きディスプレイ。」
［相違点］
＜相違点１＞
　本願発明１は、「光センサ」が「薄膜光センサ」であるのに対し、引用発明の「光センサ」は「薄膜」と特定されていない点。
＜相違点２＞
　本願発明１の「薄膜光センサ」は、「受光面である前記光電変換領域の上方に、前記光検出に指向性を持たせる構造体をさらに備え」ているのに対して、引用発明の対応する構成である「光センサ」は、光検出に指向性を持たせる構造体である「レンズ３０３」を備えているものの、この「レンズ３０３」が「光センサ」の光電変換領域の上方にあるとの特定はされていない点。
＜相違点３＞
　本願発明１の「光センサ」は、「前記指向性を持たせた前記光検出の主検出方向」を「所望の方向に設定」することが、「前記受光面と対向する平面内で、前記光電変換領域に対する前記構造体の相対的な位置関係を所望の位置に変位させることで」行われているのに対し、引用発明では、そのような構成は特定されていない点。
＜相違点４＞
　本願発明１の「検出空間」は、「前記ディスプレイの前方の空間内に規定され」ているのに対し、引用発明では、ディスプレイの「前方」と特定されていない点。
＜相違点５＞
　本願発明１の「構造体」は、「光学的に凹レンズの特性を備え」ているのに対し、引用発明では、そのような構成は特定されていない点。
＜相違点６＞
　本願発明１は、「前記薄膜光センサは、１つの主薄膜光センサと、前記主薄膜光センサの光検出方向と異なる方向に光検出方向を有する複数の副薄膜光センサとで構成される基本ユニットを長手方向に複数配置した構成として、前記列状配置が形成されており、前記基本ユニット内において、前記複数の副薄膜光センサのそれぞれは、前記複数の副薄膜光センサの光検出方向が前記主薄膜光センサの光検出方向と交差するように配置されており、前記複数の副薄膜光センサは、前記主薄膜光センサからのずれ量が同じであり、光検出方向が異なる」のに対し、引用発明では、そのような構成は特定されていない点。
（３）相違点についての判断
　事案に鑑みて、上記相違点６について先に検討する。
　上記相違点６に係る本願発明１の「前記薄膜光センサは、１つの主薄膜光センサと、前記主薄膜光センサの光検出方向と異なる方向に光検出方向を有する複数の副薄膜光センサとで構成される基本ユニットを長手方向に複数配置した構成として、前記列状配置が形成されており、前記基本ユニット内において、前記複数の副薄膜光センサのそれぞれは、前記複数の副薄膜光センサの光検出方向が前記主薄膜光センサの光検出方向と交差するように配置されており、前記複数の副薄膜光センサは、前記主薄膜光センサからのずれ量が同じであり、光検出方向が異なる」という構成は、上記引用文献１−３には記載されておらず、本願出願日において周知技術であるともいえない。
　なお、引用文献２には、「光源１８からの光を遮光する遮光板１５〜１７により光源１８の位置に応じて光の一部が遮光される位置に、第１の光電変換素子１１〜１３が設置される３次元位置検出装置」において「第１の光電変換素子１１〜１３の原点側の端部は、いずれもｘ−ｚ平面内の原点から一定の距離ａの位置に配置」されることが記載されているものの、引用文献２には、「主薄膜光センサの光検出方向と異なる方向に光検出方向を有する複数の副薄膜光センサ」を、「前記主薄膜光センサからのずれ量が同じ」となるように配置することは記載されておらず、示唆されてもいない。そうすると、当業者といえども、引用発明及び引用文献２に記載された上記技術事項から、相違点６に係る「前記薄膜光センサは、１つの主薄膜光センサと、前記主薄膜光センサの光検出方向と異なる方向に光検出方向を有する複数の副薄膜光センサとで構成される基本ユニットを長手方向に複数配置した構成として、前記列状配置が形成されており、前記基本ユニット内において、前記複数の副薄膜光センサのそれぞれは、前記複数の副薄膜光センサの光検出方向が前記主薄膜光センサの光検出方向と交差するように配置されており、前記複数の副薄膜光センサは、前記主薄膜光センサからのずれ量が同じであり、光検出方向が異なる」という構成を容易に想到することはできない。
　したがって、本願発明１は、他の相違点について検討するまでもなく、当業者であっても、引用発明及び引用文献２、３に記載された技術事項に基づいて容易に発明できたものであるとはいえない。
２　本願発明２について
　本願発明２も、本願発明１の「前記薄膜光センサは、１つの主薄膜光センサと、前記主薄膜光センサの光検出方向と異なる方向に光検出方向を有する複数の副薄膜光センサとで構成される基本ユニットを長手方向に複数配置した構成として、前記列状配置が形成されており、前記基本ユニット内において、前記複数の副薄膜光センサのそれぞれは、前記複数の副薄膜光センサの光検出方向が前記主薄膜光センサの光検出方向と交差するように配置されており、前記複数の副薄膜光センサは、前記主薄膜光センサからのずれ量が同じであり、光検出方向が異なる」という構成を備えるものであるから、本願発明１と同じ理由により、当業者であっても、引用発明及び引用文献２、３に記載された技術事項に基づいて容易に発明できたものであるとはいえない。
第７　原査定について
　令和２年４月２１日に提出された手続補正書による補正により、本願発明１、２は「前記薄膜光センサは、１つの主薄膜光センサと、前記主薄膜光センサの光検出方向と異なる方向に光検出方向を有する複数の副薄膜光センサとで構成される基本ユニットを長手方向に複数配置した構成として、前記列状配置が形成されており、前記基本ユニット内において、前記複数の副薄膜光センサのそれぞれは、前記複数の副薄膜光センサの光検出方向が前記主薄膜光センサの光検出方向と交差するように配置されており、前記複数の副薄膜光センサは、前記主薄膜光センサからのずれ量が同じであり、光検出方向が異なる」という構成を有するものとなっており、当業者であっても、拒絶査定において引用された引用文献１−３に基づいて、容易に発明できたものとはいえない。
　したがって、原査定を維持することはできない。
第８　むすび
　以上のとおり、原査定の理由によっては、本願を拒絶することはできない。
　また、他に本願を拒絶すべき理由を発見しない。
　よって、結論のとおり審決する。